(57)【要約】【課題】  旋盤等の加工機の位置から定盤の設置箇所まで移動しなくても、加工機の傍らで、簡単、手軽に部品の高さを測定でき、また楽にケガキ作業を行うことができるようにする。【解決手段】  棒状のガイド部材１をベース部分２に垂直に立てる。このガイド部材１に、測定値をデジタル表示する表示部３ａを有するスライダー３を、上下動自在に取り付ける。このスライダー３に測定子４を取り付ける。上記のベース部分２の上面を、平滑面状に形成する。上記の測定子４を、ベース部分２の上方に配置する。【選択図】  図１
0003168118.tif 000002
【実用新案登録請求の範囲】
【請求項１】
棒状のガイド部材がベース部分に垂直に立てられ、このガイド部材に、測定値をデジタル表示する表示部を有するスライダーが上下動自在に取り付けられ、このスライダーに測定子が取り付けられているハイトゲージであって、上記のベース部分の上面が平滑面状に形成され、上記の測定子がベース部分の上方に配置されていることを特徴とする定盤機能付きハイトゲージ。
【請求項２】
本尺目盛が表示されている棒状のガイド部材がベース部分に垂直に立てられ、このガイド部材に、バーニヤ目盛を有するスライダーが上下動自在に取り付けられ、このスライダーに測定子が取り付けられているハイトゲージであって、上記のベース部分の上面が平滑面状に形成され、上記の測定子がベース部分の上方に配置されていることを特徴とする定盤機能付きハイトゲージ。
【請求項３】
請求項1又は２記載の定盤機能付きハイトゲージであって、ベース部分の下面に弾性質の脚が設けられていることを特徴とする定盤機能付きハイトゲージ。
【考案の詳細な説明】
【技術分野】
【０００１】
本考案は、機械加工した部品等の高さを測定するために使用するハイトゲージに関し、更に詳しくは使い勝手が良くなるよう形成した定盤機能付きハイトゲージに関するものである。
【背景技術】
【０００２】
従来、この種のゲージは、例えば特許文献１に記載されているように、金属製の台座にガイド部材が垂直に立てられ、このガイド部材にスライダーが上下動自在に設けられ、このスライダーに測定子が取り付けられているのが通例である。
そして使用する場合は、所定箇所に設置されている定盤に置き、また測定対象物を定盤に置いて、スライダーを下ろし、測定対象物の上面に測定子を当ててスライダーのデジタル表示部の測定値を読み取るものである。
また従来、機械部品等のケガキ作業は、部品を定盤に押さえ付け、ハイトゲージ自体を定盤上で摺動して行うのが通例である。
【０００３】
従って従来は、作業者が定盤の設置箇所まで測定対象物やケガキ用の部品を持って行く必要があった。その結果、従来品を使用すると、測定作業やケガキ作業が不便で煩わしく、使い勝手が悪い、という問題点があった。
また従来品を使用してケガキ作業を行う場合は、上記の通り、定盤上で台座を滑らせてハイトゲージ自体を動かして行うため、大きな力が必要で、作業に労力がかかる、という問題点があった。
【先行技術文献】
【特許文献】
【０００４】
【特許文献１】実開平５−７５６０１号公報
【考案の概要】
【考案が解決しようとする課題】
【０００５】
本考案は、このような従来品の問題点に鑑み、提案されたものである。
従って本考案の解決しようとする技術的課題は、旋盤等の加工機の位置から定盤の設置箇所まで移動しなくても、加工機の傍らで、簡単、手軽に部品の高さを測定でき、また楽にケガキ作業を行うことができるよう形成した、使い勝手の良い定盤機能付きハイトゲージを提供することにある。
【課題を解決するための手段】
【０００６】
本考案は、上記の課題を解決するため、次のような技術的手段を採る。
即ち、本考案は、図１等に示されるように、棒状のガイド部材１がベース部分２に垂直に立てられ、このガイド部材１に、測定値をデジタル表示する表示部３ａを有するスライダー３が上下動自在に取り付けられ、このスライダー３に測定子４が取り付けられているハイトゲージであって、上記のベース部分２の上面が平滑面状に形成され、上記の測定子４がベース部分２の上方に配置されていることを特徴とする（請求項１）。
【０００７】
ここで、平滑面状とは、ベース部分２が定盤として機能するよう、ベース部分２の上面が正しく平滑に仕上げられている、ということを意味する。
またここで、測定子４がベース部分２の上方に配置されている、とは、ベース部分２の上面に測定対象物８を置き、測定子４を下ろしてその高さを測定できる、ということを意味する。従って、本考案は、測定子４がベース部分２の上方に固定的に配置されている場合だけではなく、測定時にベース部分２の上方に、例えば縦軸を中心に回動して配置される場合も含まれる。
【０００８】
また本考案の他の構成としては、図５に示されるものがある。
即ち、この本考案は、本尺目盛９ａが表示されている棒状のガイド部材９がベース部分２に垂直に立てられ、このガイド部材９に、バーニヤ目盛１０ａを有するスライダー１０が上下動自在に取り付けられ、このスライダー１０に測定子４が取り付けられているハイトゲージであって、上記のベース部分２の上面が平滑面状に形成され、上記の測定子４がベース部分２の上方に配置されている（請求項２）。
【０００９】
本考案は、測定値をデジタル表示する場合には限られず、このように本尺目盛９ａとバーニヤ目盛１０ａを利用して測定値を読み取るよう、アナログ式に形成されているのでも良い。平滑面状の意味、及び測定子４がベース部分２の上方に配置されている、の意味は、請求項１記載の本考案の場合と同様である。
【００１０】
而して、本考案は、ベース部分２の下面に弾性質の脚７が設けられているのが好ましい（請求項３）。
なぜならこれによると、設置時の衝撃を緩和でき、使い勝手が一層良くなるからである。
【考案の効果】
【００１１】
本考案は、このようにベース部分の上面が平滑面状に形成され、測定子がベース部分の上方に配置されているものである。
従って本考案によれば、旋盤等の加工機の位置から定盤の設置箇所まで移動しなくても、加工機の傍らで、簡単、手軽に部品等の高さを測定でき、またケガキ作業を楽に行うことができる。その結果、これによれば、測定作業等の能率が上がり、使い勝手が良い、という実用上優れた効果を奏する。
【図面の簡単な説明】
【００１２】
【図１】本考案のハイトゲージの好適な一実施形態を示す正面図である。
【図２】図１のＩＩ−ＩＩ線における要部断面図である。
【図３】同上ハイトゲージの使用状態を説明するための要部断面図である。
【図４】表示部の他の実施形態を示す同上ハイトゲージの正面図である。
【図５】本考案の他の構成を示す正面図である。
【図６】図５のＶＩ−ＶＩ線における要部断面図である。
【図７】微動送り機構を示す要部斜視図である。
【考案を実施するための形態】
【００１３】
以下、本考案を実施するための好適な一実施形態を、添付図面に従って説明する。
【００１４】
本考案は、図１等に示されるように、棒状のガイド部材１が金属製のベース部分２に垂直に立てられている。ベース部分２は、図２に示されるように、この実施形態では上から見て長方形に形成され、上面が平滑面状に形成されている。
【００１５】
３は、ガイド部材１に上下動自在に取り付けられているスライダーである。このスライダー３は、測定値をデジタル表示する表示部３ａを有し、周知のデジタル表示型の側長機と同様、電源スイッチ等の所定のスイッチを備えて形成されている。
【００１６】
また本考案品は、スライダー３に測定子４が取り付けられている。この測定子４は、ベース部分２の上面に当接されると、表示部３ａの数値が０を表示するよう構成されている。
【００１７】
また測定子４は、スライダー３の取付部３ｂに、連結部材５を介してネジ６で止め付けられている。測定子４は、ネジ６を締め付け直すことで、先端４ａの位置、換言すると測定面４ｂの位置を調節可能に設けられている。また測定子４は、ベース部分２の上方に配置されている。
なお７は、弾性質の脚である。この脚７は、ベース部分２の下面の四隅に設けられている。
【００１８】
次に、この実施形態の本考案品の使用例を説明する。
先ず、作業者は、測定対象物８である、例えば機械加工部品を、ベース部分２に載せる。この場合、測定対象物８の大きさは、ベース部分２の上面の面積内のものには限られない。即ち、本考案品は、図３に示されるように、測定対象物８がベース部分２から食み出ている場合でも測定を行なうことができる。
【００１９】
次に、作業者は、スライダー３を下ろして測定子４の測定面４ｂを測定対象物８の上にあてがう（図１の状態参照）。そして、スライダー３の表示部３ａの数値を読み取り、測定対象物８の高さを測定する。この測定作業は、周知のデジタル式ハイトゲージと同様である。
またケガキ作業は、ベース部分２の上面で測定対象物８を動かし、測定子４の先端４ａを利用して行う。
【００２０】
以上の処において、本考案の場合、ベース部分２の平面形状は任意であり、例えば正方形、円形、楕円形等でも良い。
また表示部３ａは、図４に示されるように、作業者が表示部３ａに正対したとき、測定値が横向きに表示されるよう設けられているのが良い。この場合は、作業者が顔を傾けることなく、測定値を楽に読み取ることができる、という利点がある。
【００２１】
而して、本考案は、測定値をデジタル表示する場合には限られず、図５に示されるように、本尺状のガイド部材９に沿ってバーニヤ目盛１０ａを有するスライダー１０が上下動自在に形成され、測定値が本尺目盛９ａとバーニヤ目盛１０ａで示されるよう、アナログ型に形成されているのでも良い。
以下、上例と同一箇所、同一部材には同一の符号を付し、詳しい説明は省略する。
【００２２】
即ち、この本考案品は、本尺目盛９ａが表示されている棒状のガイド部材９がベース部分２に垂直に立てられている。そして、このガイド部材９に、バーニヤ目盛１０ａを有するスライダー１０が上下動自在に取り付けられ、このスライダー１０に測定子４が取り付けられている。
【００２３】
測定子４は、上例と同様、取付部１０ｂ、連結部材５を介してスライダー１０に取り付けられ、ネジ６を締め付け直すことで、先端４ａの位置、換言すると測定面４ｂの位置を調節可能に形成されている。測定子４は、測定面４ｂがベース部分２の上面に当たると、目盛が０になるよう配置されている。
【００２４】
また上記のベース部分２の上面は、上例と同様、平滑面状に形成され、定盤として機能するよう形成されている。また測定子４は、ベース部分２の上方に配置されている。
【００２５】
なお、１１は、微動送り機構である。この微動送り機構１１は、図７に示されるように、ガイド部材９に止めネジ１２で固定されている固定枠１１ａと、この固定枠１１ａの背面に縦向きに設けられている雄ネジ１１ｂと、この雄ネジ１１ｂに螺合されている調節ネジ１１ｃと、またこの調節ネジ１１ｃを備えて雄ネジ１１ｂに係合している突き出し部１１ｄとを備えて形成されている。作業者が、調節ネジ１１ｃを回すと、突き出し部１１ｄと一体化しているスライダー１０が雄ネジ１１ｂに案内されて上下方向に移動して高さが微調整されるものである。
【００２６】
而して、測定を行う場合は、ベース部分２に測定対象物８を載せ、次に測定子４の測定面４ｂを測定対象物８の上にあてがう。そして作業者は、本尺目盛９ａとバーニヤ目盛１０ａを読み取る。またケガキ作業は、上例と同様、測定対象物８をベース部分２の上面で摺動し、測定子４の先端４ａで行うものである。
【符号の説明】
【００２７】
１      ガイド部材
２      ベース部分
３      スライダー
３ａ    表示部
４      測定子
９      棒状のガイド部材
９ａ    本尺目盛
１０    スライダー
１０ａ  バーニヤ目盛
【図１】
0003168118.tif 000003
【図２】
0003168118.tif 000004
【図３】
0003168118.tif 000005
【図４】
0003168118.tif 000006
【図５】
0003168118.tif 000007
【図６】
0003168118.tif 000008
【図７】
0003168118.tif 000009